Podtech/llm-jp-corpus-v4-ja_patent huggingface dataset:
(57)【要約】      （修正有）【課題】心臓の収縮拡張による影響で、レントゲン撮影画像による心胸郭比計測数値の精度が正確不安定な点を改良したレントゲン撮影システムを提供する。【解決手段】心電図からの波形に同期させて、収縮期若しくは拡張期に合わせた共通のタイミングでレントゲンを撮影し、正確性を向上させた心胸比データを取得する。【選択図】図４
2017023652.tif 000002
【特許請求の範囲】
【請求項１】
心電図からの波形に同期させて、収縮期若しくは拡張期に合わせた共通のタイミングでレントゲンを撮影出来ることによる。正確性を向上させた心胸比データの取得
【発明の詳細な説明】
【技術分野】
【０００１】この発明は、心電図と同期させてレントゲンを照射する事により、ＣＴＲ（心胸郭比）の測定精度を大幅に向上させる
【背景技術】
【０００２】心臓肥大（しんぞうひだい）とは心臓の筋肉が普通より厚くなった状態をいう。必要以上に肥大したことで心臓が弱り十分な血液が循環しなくなる為、心不全が起こる場合がある。心胸郭比（ＣＴＲ）とは胸部Ｘ線像から心臓の拡大の程度を簡単に知る便宜的な方法である。
従来、心胸郭比の計測を行う手段は複数存在しているが、その中でも単純レントゲン撮影による計測は非常に簡便である事から、多くの医療施設で採用されている。心胸郭比の計測は、現在、心肥大の察知等に利用されているが、簡便な方式で、より高精度で計測できれば今まで以上応用範囲が広がる可能性がある。本発明は、従来困難であった単純撮影レントゲン撮影において、より正確な心胸郭比を計測する手段に関する物である。
【発明の概要】
【発明が解決しようとする課題】
【０００３】  従来の胸部レントゲン撮影画像による心胸郭比の計測は、心肥大の察知等に利用されているが、心臓幅は心臓の拡張、収縮により変化しており、レントゲンの胸部単純撮影では心臓幅が変化してしまう事から、心胸郭比の精度には限界がある。
【課題を解決するための手段】
【０００４】単純レントゲン撮影時、患者へ電極を取り付ける。電極は、２極でもそれ以上でも問題はない。取り付けた電極より、患者の心電図を取得する。心電図は、心臓の収縮するタイミングによりＰ波、Ｑ波、Ｒ波、Ｓ波、Ｔ波とからなると一般的に決められている。上記取り付けた電極より得られる心臓の電圧を計測することにより、心臓が収縮拡張するタイミングが取得できる。一方、単純撮影用レントゲン装置において、通常、撮影用ボタンは「デッドマンスイッチ」と呼ばれているスイッチを使う。最初に１段目のスイッチを押し込むと、レントゲン装置のコンデンサに充電が開始される。充電が完了した後、２段目のスイッチを押し込むと、レントゲン照射が行われる。しかしながら、従来の手法では、心臓の拡張、収縮するタイミングに関係なく、レントゲン照射が行われており心臓の幅を同じ条件で撮影する事が困難であった。本発明では、取得された心電図より、Ｐ波、Ｑ波、Ｒ波、Ｓ波、Ｔ波のタイミングを取得し、そのタイミングをトリガ信号とする。トリガ信号と同時又は同時からそれ以降のタイミングで、照射スイッチを接続することにより、心臓が拡張又は収縮、又は一定のタイミングで照射が出来る様になり、レントゲン画像に写る心臓幅は拡張と収縮の影響を少なくする事が出来る。
【発明の効果】
【０００５】得られる胸部単純撮影画像より測定するの心臓幅は拡張、収縮のタイミングを変化なく取得できる為、その画像より計測する心胸郭比を正確に計測する事が可能となる。
【図面の簡単な説明】
【０００６】
2017023652.tif 000003
2017023652.tif 000004
【０００７】
2017023652.tif 000005
2017023652.tif 000006
2017023652.tif 000007
【０００８】
2017023652.tif 000008
【０００９】「実施形態の効果」
収縮期若しくは拡張期のそれぞれのタイミングで発生するレントゲン画像の心胸比の誤差を少なくして。正確性を向上させた心胸比データの取得
【図１】
2017023652.tif 000009
【図２】
2017023652.tif 000010
【図３】
2017023652.tif 000011
【図４】
2017023652.tif 000012
【手続補正書】
【提出日】平成27年9月24日(2015.9.24)
【手続補正１】
【補正対象書類名】明細書
【補正対象項目名】０００６
【補正方法】変更
【補正の内容】
【０００６】  心電図が、心臓の収縮するタイミングによりＰ波、Ｑ波、Ｒ波、Ｓ波、Ｔ波を感知する様子を図１に示す。
【手続補正２】
【補正対象書類名】明細書
【補正対象項目名】０００７
【補正方法】変更
【補正の内容】
【０００７】図２において、
同一人物の心臓で、左側が拡張した時、右側が収縮した時、実際に大きさと形が変化している事を示す。
図３において、
心胸比測定の、測定する部位を示す。
【手続補正３】
【補正対象書類名】明細書
【補正対象項目名】０００８
【補正方法】変更
【補正の内容】
【０００８】図４において、
取得された心電図より、Ｐ波、Ｑ波、Ｒ波、Ｓ波、Ｔ波のタイミングを取得し、そのタイミングをトリガ信号とする。トリガ信号と同時又は同時からそれ以降のタイミングで、照射スイッチを接続することにより、心臓が拡張又は収縮、又は一定のタイミングで照射が出来る概念図を示す。
(57)【要約】      （修正有）【課題】ロータリー型の模型のエアーモーター装置を提供する。【解決手段】ドラム５、内側のエアーパイプ１０、から送られた圧縮空気はドラム５、外側のゴムチューブ４、に送られ膨張するがローラー１、で遮られている為ローラー１、を右方向に動かしローラー１、後部から順次ゴムチューブ４、が膨張する。空気排出口７、をローラー１、が通りすぎるとゴムチューブ４、内の圧縮空気が抜けて同じことが繰り返され回転する。【選択図】図２
2017023656.tif 000002
【特許請求の範囲】
【請求項１】
ドラム５、の外周に適宜に引き伸ばしたゴムチューブ４、を接着固定し、これに圧縮空気を送り込みローラー１、でこれを押圧密閉し、空気圧により空気流出方向へローラー１、の公転回転運動を回転ロッド３、をつうじて出力軸６、を回転することを特徴とする模型用ゴムチューブエアーモーター。
【発明の詳細な説明】
【発明の詳細な説明】
【産業の利用分野】
【０００１】  この発明は、模型など小出力エアーモーターに関するものである。
【背景技術】
【０００２】従来各種のエアーモーターはあったが高価で模型には適さなかった。また模型用にはレシプロ型の複雑なエアーモーターがあったがロータリー型はできなかった。
【発明が解決しょうとする課題】
【０００３】  本発明者は、その欠点をなくして、安価、単純構造化を求めるものである。
【課題を解決するための手段】
【０００４】その結果、ドラム５、の外周にゴムチューブ４、を適宜に引き伸ばしながら接着固定し、これに圧縮空気を送り込みローラー１、でこれを押圧密閉し空気圧により空気流出方向へローラー１、の回転運動が発生することがわかった。
【作用と実施例】
【０００５】  次に、本発明の構造、作用を実施例をあげて説明する。
本発明の構造の説明
○ドラム５、の中心に軸受８、を設けこれに出力軸６、を通し、回転ロッド３、に固定する。回転ロッド３、の一端にバランスウエイト１１、を設けもう一端にローラーシャフト２、を介してローラー１、が取り付けられる。
○ドラム５、の内壁に外部より導入されたパイプ１０、に接続されたゴムチューブ４、はドラム５、の外周を一周する。
構造は極めて簡単でドラム５、内側のエアーパイプ１０、から送られた圧縮空気はドラム５、外側のゴムチューブ４、に送られ膨張するがローラー１、で遮られている為ローラー１、を空気圧で空気流出右方向に動かしローラー１、後部から順次ゴムチューブ４、が膨張する。空気排出口７、をローラー１、が通りすぎるとゴムチューブ４、内の圧縮空気が抜けて同じことが繰り返され回転する。
【実施例】
【０００６】○この発明により各種模型の動力に使える。
○高出力にするにはゴムチューブ４、ローター１、を増やせばよい。
○ゴムチューブ４、は性質が同じようなシリコンチューブなどでもよい。
○高圧縮空気使用ではゴムチューブ４、がパンクするので説明図４の伸縮性のネット１３、でゴムチューブ４、をカバーし、これを防ぐ。
この場合ネット１３、を挟みながらローラー１、が回転する。
○ゴムチューブ４、は弾力があるのでローラー１、でのよりよい密閉を望むばあい薄板帯状シート１４、をゴムチューブ４、内に一周するよう挿入すれば高い密閉が得られる。
【発明の効果】
【０００７】このように構造簡単安価なゴムチューブエアーモーターがいろいろな模型の動力になり、圧縮空気はペットボトル等に、エアーコンプレッサーはもちろんであるが、自転車の空気入れでも詰められペットボトル等につめた圧縮空気から取り出す、または直接エアーコンプレッサー等に繋ぐ。  電動モーター教材が多いなか空気圧を学ぶ教材にもよい。
【図面の簡単な説明】
【図１】  模型用ゴムチューブエアーモ−ター斜視図である。
【図２】  作動説明図
【図３】  第１図の分解図
【図４】  実施例用拡大断面説明図
【符号の説明】１、  ローラー        ７、  空気出口        １３、ネット
２、  ローラーシャフト８、  軸受            １４、薄板帯状シート
３、  回転ロッド      ９、  ナット
４、  ゴムチューブ    １０、パイプ          １５、ネット固定ベルト
５、  ドラム          １１、バランスウエイト
６、  出力軸          １２、ナット
2017023656.tif 000003
【図３】
2017023656.tif 000004
【図４】
2017023656.tif 000005
【手続補正書】
【提出日】平成27年9月1日(2015.9.1)
【手続補正２】
【補正対象書類名】図面
【補正対象項目名】全図
【補正方法】変更
【補正の内容】
【図１】
2017023656.tif 000006
【図２】
2017023656.tif 000007
【図３】
2017023656.tif 000008
【図４】
2017023656.tif 000009
(57)【要約】【課題】  本考案では、フック部の向きを手動による切り替えもしくは、ハンガー吊り下げの際に、自動でフック部の向きを切り替えるハンガーを提供する。【解決手段】  ハンガー本体１の頭部に、フック部２と、それに連なるフック支柱３を固定する手段である固定部４を備え、フック支柱３から固定部４を軸に、ハンガー本体１とは別にフック支柱３を横回転できるようにし、フック支柱３の内部にはビニオンギア５を備える。ハンガー本体１の頭部側面には押し込みスイッチ６を備え、押し込みスイッチ６は支点ピン９を軸に、ハンガー本体１の頭部上部の両肩に沿った範囲にて左右に移動する。  押し込みスイッチ６の内部側面にはラックギア８が備えられ、ラックギア８はフック支柱３の内部にあるビニオンギア５と噛み合う構造になっており、押し込みスイッチ６を左右に切り替える度に、フック支柱３が横回転し、それに伴いフック支柱３の上部にあるフック部２を反転回転させる構造となっている。【選択図】図１
2017023657.tif 000002
【特許請求の範囲】
【請求項１】
ハンガー本体の頭部に、フック部と、それに連なるフック支柱と、フック支柱を固定する手段である固定部を備え、フック支柱から固定部を軸に、ハンガー本体とは別に、フック支柱を横回転できるように固定し、フック支柱の内部にはビニオンギアを備え、ハンガー本体の頭部側面に備えられた押し込みスイッチは、支点ピンを軸にハンガー本体の頭部上部の両肩に沿った範囲に左右に可動し、押し込みスイッチの内部側面にあるラックギアと、フック支柱の内部にあるビニオンギアとを噛み合う構造にし、押し込みスイッチを左右どちらかに切り替える事により、フック支柱が横回転し、それに伴いフック支柱の上部にあるフック部も同時に反転回転させる構造のハンガー。
【発明の詳細な説明】
【技術分野】
【０００１】  本考案はハンガーに関し、特にハンガーのフック位置の切り替え調整に関する。
【背景技術】
【０００２】  通常のハンガーでは、フック部はハンガーの頭部に固定され、フック部の向きを変えることはできない。【０００３】  また、フック部と、それに連なるフック支柱が、ハンガーの頭部と分離固定され、フック部を手動にて、横に回転できるハンガーも存在する。
【発明の開示】
【発明が解決しようとする課題】
【０００４】  本考案では、フック部の向きを手動による切り替えもしくは、ハンガー吊り下げの際に、自動でフック部の向きを切り替えるハンガーを提供する。
【課題を解決する為の手段】
【０００５】  ハンガー本体１の頭部に、フック部２と、それに連なるフック支柱３を固定する手段である固定部４を備え、フック支柱３から固定部４を軸に、ハンガー本体１とは別にフック支柱３を横回転できるようにし、フック支柱３の内部にはビニオンギア５を備える。ハンガー本体１の頭部側面には押し込みスイッチ６を備え、押し込みスイッチ６は支点ピン９を軸に、ハンガー本体１の頭部上部の両肩に沿った範囲にて左右に移動する。
押し込みスイッチ６の内部側面にはラックギア８が備えられ、ラックギア８はフック支柱３の内部にあるビニオンギア５と噛み合う構造になっており、押し込みスイッチ６を左右に切り替える度に、フック支柱３が横回転し、それに伴いフック支柱３の上部にあるフック部２を反転回転させる構造となっている。
【発明の効果】
【０００６】  ハンガーを吊り下げる際に、押し込みスイッチ６の側面を、ポールや洗濯紐等に接触し押し込むと、押し込みスイッチ６は、支点ピン９を軸に、ハンガー本体１の頭部上部の両肩に沿った範囲にて、左右どちらかへと移動し切り替えられる。
【０００７】  押し込みスイッチ６を左右どちらかへと切り替えると、押し込みスイッチ６内部側面にあるラックギア８から、フック支柱３の内部に備えられたビニオンギア５へと、横に回転運動が伝わり、フック支柱３が横に回転し、それに伴い、フック支柱３に連なったフック部２も同時に反転回転する。
【０００８】  （０００６）〜（０００７）によって、ハンガー本体１のフック部２は、押し込みスイッチ６の左右どちらかに切り替えする事により、押し込みスイッチ６の位置と反転するように横に反転回転し、フック部２の向きを変えることができる。
【０００９】  押し込みスイッチ６の左右側面上部はタブ７になっており、指による手動操作で押し込みスイッチ６の位置を切り替えても良い。
【発明を実地する為の最良の形態】
【実地例】
【００１０】  図１は、フック部の位置が右向きのハンガーの状態を示した正面図である。ハンガー本体１の頭部にあるフック部２は、フック支柱３と固定部４により、フック支柱３と固定部４を軸にハンガー本体１からフック支柱３を、横へ回転できるように固定されている。
【００１１】  図１によればフック部２は右側を向いており、押し込みスイッチ６は、その反対である左側を向いている。
【００１２】  図１の押し込みスイッチ６を、ポールや洗濯紐等で左側の側面から押し込むと、押し込みスイッチ６は、支点ピン９を軸に図２のように右側へと押し込まれる。押し込みスイッチ６の内部側面にはラックギア８が備えられており、フック支柱３の内部に備えられたビニオンギア５へと横回転運動が伝わる。フック支柱３の上部にはフック部２があり、押し込みスイッチが右側へ押し込まれると、右を向いていたフック部２が反転し、左側を向く事になる。
【図面の簡単な説明】
【００１３】
【図１】  フック部の位置が右向きのハンガーの状態を示した正面図である。
【図２】  フック部の位置が左向きのハンガーの状態を示した正面図である。
【符号の説明】
【００１４】１ハンガー本体
２フック部
３フック支柱
４固定部
５ビニオンギア
６押し込みスイッチ
７タブ
８ラックギア
９支点ピン
【図１】
2017023657.tif 000003
【図２】
2017023657.tif 000004
(57)【要約】      （修正有）【課題】将来ファーストフード、コンビニ店で販売が期待されているガスパチョを車内で食事しやすいようにドリンクトレイを多数設置し、またストロー、フォーク、スプーンも設置したフードドリンクトレイを提供する。【解決手段】少子高齢化社会の中、車の使用も変化してきている。ガソリン高の現在多人数でミニバンＳＵＶ車などを使用して外出、ドライブなどの移動が増えている。そのためミニバンなどの多人数型車は機能が重視されている。土日の高速道路使用時など、ＰＡ、ＳＡはレストランなどが混雑しファーストフードを車内で食事する事が多々ある。このような時、本発明のフードトレイを使用すると便利である。またファーストフード、コンビニ店での販売が期待されているガスパチョを快適に食事ができるよう設計した商品である。【選択図】図１
2017023659.tif 000002
【特許請求の範囲】
【請求項１】
後席用フードドリンクトレイにスプーン、フォーク、ストローを設置し、ドリンクボトルを３ヶ所置けるようにしたもの。
【発明の詳細な説明】
【技術分野】
【０００１】本発明は、カー用品に関するものであり、将来ファーストフード、コンビニ店で販売が期待されているガスパチョを車内で快適に食事ができるようにした商品である。
【背景技術】
【０００２】従来から一般的な後席用フードドリンクトレイが販売されている。
【発明が解決しようとする課題】
【０００３】現在のフードドリンクトレイは、ドリンクボトルが１、２本収納できる形態になっている。ファーストフード店で商品をセットで注文した場合にフライドポテト、ガスパチョドリンクとすべてトレイの上に乗らなくなり大変不便を感じる。
【課題を解決するための手段】
【０００４】図面１のようにフードトレイに３ヶ所ドリンクボトルを設置し、フライドポテト、ガスパチョ、ドリンクが置ける。及び手前にストロー、フォーク、スプーンも設置し車内で快適に食事ができる。
【発明の効果】
【０００５】日本人の食事が欧米化しているなかでファーストフード店などでの食事が増えている。また車内での食事も多々ある。このような場合フードトレイは必須のアイテムとなっている。後席のどの席でも使用できるので大変重宝する。
【図面の簡単な説明】
【０００７】
【図１】  本発明の平面図である。
【発明を実施するための最良の形態】
【０００８】本発明を実施するための最良の形態について説明する。３列シートミニバン、ＳＵＶ車の場合１、２列目のヘッドレストから背面にかけてフードトレイをつりさげ固定のためにマジックテープなどでシートに固定する。不使用時には折りたたみ式とする。トレイ奥側に３ヶ所のドリンクトレイを設置し、手前側に脱着式プラスチック製スプーン、フォーク、ストローを設置する。また安全のために製品はすべてプラスチックとする。
【産業上の利用の範囲】
【０００９】多人数型ミニバン、ＳＵＶ車では移動手段として使用する以外にも使い方が多々あり、さまざまな形態、機能の新型ミニバン車が期待される。今発明のフードドリンクトレイはこれから発売が期待されているカー用品の一部商品であり、これからさまざまなカー用品の活性化が期待できる。
【図１】
2017023659.tif 000003
(57)【要約】      （修正有）【課題】従来、風呂蓋は保温の目的で、入浴時には外して使用するのが一般的であった。しかし、近年お風呂での溺死が、交通事故よりも多く又、これに対応しうる物が無かった。そこで、風呂蓋を使用したまま且つ事故を少しでも防ぐべく、フタに首（頭部）と手を出せるよう空間を設け提供する。【解決手段】風呂蓋１に首（頭部）及び手を出せる空間３を設け、各々にふた２，４も設ける。裏面に滑り止めを設け体がずってもふた自体はずれない様にする。手を出す穴は、腕を出し易い様に内側部分に角度をつける。使用時の際に、顎・頭部が引っ掛かった場合に安全に使用出来る様緩衝材５を設ける。【選択図】図１
2017023673.tif 000002
【特許請求の範囲】
【請求項１】
お風呂の風呂蓋に、（１）首（頭部）（２）手を出せる部分を設けた。
（３）頭部がフタに引っ掛かる大きさ又は形状
【発明の詳細な説明】
【技術分野】
【０００１】  この発明は、風呂蓋をしたまま、首（頭部）と手をフタの上に出せる様にしたものである。
【背景技術】
【０００２】  従来、お風呂のフタは入浴の際には、外して使用するのが一般的で、風呂蓋に首（頭部）や手をフタをしたまま出せる様にはなっていなかった。
【発明の開示】
【発明が解決しようとする課題】
【０００３】  風呂蓋自体になんら問題があるわけではないが、フタは外して使用するのが一般的である。
その為、飲酒等による睡眠や失神した等、ずり落ちてそのまま溺死してしまう事故が、後を絶たない。
本発明は、そのような事故を、少しでも減らせるよう考えたものである。
【問題を解決するための手段】
【０００４】  風呂蓋に、首（頭部）・手を出せる部分を作成する。
以上の構成によりなるお風呂のフタである。
【発明の効果】
【０００５】  本発明はこの様な構成により、失神等により気を失って体がずり落ちる際に、頭部が引っ掛かり溺死を防ぐ効果を期待できる。
【発明を実施するための最良の形態】
【０００６】以下、本案実施の形態について説明する。
風呂蓋（１）の一端に、首（頭部）を出せる空間（Ａ）を設ける。その空間に合わせた被せ蓋（２）も設ける。手が出せる空間（３）を設け、その穴に合わせた蓋（４）も設ける。
首が入る部分及び顎等が接触する事が考えられる箇所に、緩衝材（５）を設ける。［図１］
裏面には、２箇所滑り止め（６）を設ける。［図２］
手を出す空間（７）（断面）は、腕を出し易い様、内側は角度をつける。［図３］
側面使用図［図４］において、体がずった際に頭部が引っ掛かり（８）溺れを防ぐ。
使用例［図５］として、飲料等を用意しておけば手を出して水分補給等も出来る。
【図面の簡単な説明】
【０００７】
【図１】  本発明の斜視図である。
【図２】  本発明の裏面図である。
【図３】  本発明の手を出す部分の断面図である。
【図４】  本発明の側面の使用図である。
【図５】  本発明の使用例図である。
【符号の説明】
【０００８】  １  風呂蓋    ２  被せ蓋    ３  手出し穴    ４  合わせ蓋
５  緩衝材    ６  滑り止め  ７  手出し穴（断面図）
Ａ  首（頭部）を出せる空間
【図１】
2017023673.tif 000003
【図２】
2017023673.tif 000004
【図３】
2017023673.tif 000005
【図４】
2017023673.tif 000006
【図５】
2017023673.tif 000007
(57)【要約】      （修正有）【課題】紐は鞄その他紐の付いた物を肩に掛けて使用するすべての物が肩よりずり落ちないように肩掛け紐すべり落ち防止バンドを提供する【解決手段】本体バンド（４）を鞄等の紐に固定し、バンド（４）の中間にある荷物重量分散安定バン（５）を設けた肩掛け紐すべり落ち防止バンドを特徴とする。【選択図】図１
2017023668.tif 000002
【特許請求の範囲】
【請求項１】
本体バンドの中央部分に重量分離安定（５）を設けた肩掛け紐滑り落ち防止バンドである。
【発明の詳細な説明】
【技術分野】
【０００１】この発明は紐付き鞄その他、肩に掛けて行動するとき、その肩よりずり落ちを防止及び盗難防止に関するものである
【背景技術】
【０００２】従来、肩掛け紐付き鞄等は肩に掛けるだけの方式なっている。
【先行技術文献】
【特許文献】
【０００３】
【発明の概要】
【０００４】背景技術に述べたとおり、従来の紐付き鞄、その他、肩掛け荷物等は、よく滑り落ちるものであり、少し歩けばずり落ちてくる。
肩の位置に戻そうと四苦八苦している光景をよく見かけるものであり、また、鞄等のひったくり事件は昨今の社会的問題の一つといえる。
本発明は、以上のような問題を無くすために、なされたものである。
【課題を解決するための手段】
【０００５】すべり止め防止バンド本体（４）の先端に鞄等の紐を固定するホックを設け（４）の中ほどに重量分離安定バン（５）を設け、その（５）より別れる（６）及び（７）のバンドを設け、それをもって輪を（１１）を設ける。
本発明は以上の構成によりなっており、肩掛け紐すべり落ち防止バンドである。
【発明効果】
【０００６】肩掛け紐すべり落ち防止バンドと鞄等の紐をつなぎ、片方の肩にかかる重量を左右の肩で分担、尚且つ従来の鞄のすべり落ち、盗難の防止、置き忘れ等に適する為、鞄を担いで使用するのになんら差支えない。
【図面の簡単な説明】
【０００７】
2017023668.tif 000003
2017023668.tif 000004
【発明を実施するための形態】
【０００８】以下、本発明を実施するための形態について説明する。
本体バンドの紐（４）の端にホック（２）及びホック（３）を設け、（４）の中間に（５）を設け、その（５）より（６）及び（７）のバンドを設け（７）のバンドの中間に伸縮用具（８）を設け（６）のバンドの端に結合用具（１０）を設ける。
（７）のバンドの端に結合用具（９）を設け（９）と（１０）を結合し輪（１１）を作る本体のバンド（４）と共に背の方へ回し鞄等の反対側の肩に掛けて使用する。
【符号の説明】
【０００９】１．鞄等の紐の取り付け位置
２．ホック
３．ホック
４．本体のバンド
５．本体バンドの中央に設けた重量分散安定バン
６．本体のバンド
７．本体のバンド
８．バンドの伸縮用具
９．（１０）との結合用具
１０．（９）との結合用具
１１．６と７を結合した輪
【図１】
2017023668.tif 000005
【図２】
2017023668.tif 000006
【手続補正書】
【提出日】平成27年9月18日(2015.9.18)
【手続補正１】
【補正対象書類名】明細書
【補正対象項目名】０００７
【補正方法】変更
【補正の内容】
【０００７】
【図１】  本発明品を背面に着装した平面図である。
【図２】  本発明品を表面に着装した平面図である。
【図３】  本発明品の使用時における平面図である
【図４】  本発明品の平面図である。
【図５】  本発明品の分解図
【手続補正２】
【補正対象書類名】図面
【補正対象項目名】全図
【補正方法】変更
【補正の内容】
【図１】
2017023668.tif 000007
【図２】
2017023668.tif 000008
【図３】
2017023668.tif 000009
【図４】
2017023668.tif 000010
【図５】
2017023668.tif 000011
(57)【要約】【課題】低流量の酸素投与で、二酸化炭素を再呼吸することなく、高濃度の酸素の吸入を可能とする。【解決手段】密閉型酸素マスク（１）に二酸化炭素除去フィルター（３）を接続したリザーバーバッグ（２）と呼気時に開放する一方弁（４）を設け、酸素を供給する。【選択図】図１
2017023665.tif 000002
【特許請求の範囲】
【請求項１】
（イ）密閉型マスク（１）にリザーバーバッグ（２）を設ける。
（ロ）密閉型マスク（１）とリザーバーバッグ（２）の間に二酸化炭素除去フィルター（３）を設ける。
（ハ）密閉型マスク（１）に呼気時に解放する一方弁（４）を設ける。
（ニ）リザーバーバッグ（２）に酸素流入口（５）を設ける。
以上の構成よりなる二酸化炭素除去フィルター付きリザーバー酸素マスク。
【請求項２】
密着型マスク（１）が鼻だけまたは口だけを覆う構造になった請求項１の二酸化炭素除去フィルター付きリザーバー酸素マスク。
【請求項３】
リザーバーバッグ（２）が一定容量の管で代用された請求項１の二酸化炭素除去フィルター付きリザーバー酸素マスク。
【請求項４】
一方弁（４）が一定気圧以上で開放するよう調整された請求項１の二酸化炭素除去フィルター付きリザーバー酸素マスク。
【請求項５】
二酸化炭素除去フィルター（３）が一定容量の容器に二酸化炭素吸収剤を納めた構造の請求項１の二酸化炭素除去フィルター付きリザーバー酸素マスク。
【請求項６】
二酸化炭素除去フィルター（３）が交換可能な請求項１の二酸化炭素除去フィルター付きリザーバー酸素マスク。
【発明の詳細な説明】
【技術分野】
【０００１】  本発明は、密閉型酸素マスクに二酸化炭素除去フィルターを接続したリザーバーバッグと呼気時に解放する一方弁を取り付け、低流量の酸素供給で高濃度酸素の吸入を可能とするための二酸化炭素除去フィルター付きリザーバー酸素マスクに関するものである。
【背景技術】
【０００２】  従来の簡易酸素マスクで１００％に近い濃度の酸素を吸入させるためには、吸気流速に相当する流量の酸素を供給しなければならなかった。この場合、酸素流量を高流量としなければならず、周囲へ酸素が拡散することにより引火性が高まる問題や大量の酸素を消費するためコストが高くなる問題があった。【０００３】  これに対し、低流量の酸素供給で高濃度の酸素投与を可能にするためにリザーバーバッグ付き酸素マスクが考案され、使用されてきた。リザーバーバッグ付き酸素マスクは、接続されたリザーバーバッグを高濃度酸素で満たし、これを吸入する構造となっている。リザーバーは膨縮可能な気密性バッグを用いる場合の他、一定の容積を持つ管を用いる場合があるが、原理は同様である。【０００４】  従来、リザーバーバッグ付き酸素マスクには開放型酸素マスクにリザーバーバッグを設けたものと密閉型酸素マスクにリザーバーバッグを設けたものがあったが、これらリザーバーバッグ付き酸素マスクには、次のような欠点があった。
開放型酸素マスクでは酸素マスクと顔面が密着しないため、酸素マスクと顔面の間隙から空気が流入してリザーバーバッグが十分に機能せず、吸入酸素濃度が低下した。
一方、密閉型酸素マスクを用いた場合、リザーバーバッグは十分に機能するが、呼気がリザーバーバッグ内に流入することで二酸化炭素を再呼吸する危険性があった。
本発明はそのような欠点をなくすためになされたものである。
【先行技術文献】
【特許文献】
【０００５】
【特許文献１】  米国特許第５４９２１１４号
【特許文献２】  特開２０１０−１４８８５９号公報
【特許文献３】  特開２００３−３２５６６７号公報
【非特許文献】
【０００６】
【非特許文献１】  「ポーテックス呼吸療法関連製品」，スミスメディカル・ジャパン株式会社
【発明の概要】
【発明が解決しようとする課題】
【０００７】  解決しようとする問題点は、低流量の酸素供給でリザーバーバッグを機能させた時、リザーバーバッグ内に流入した呼気に含まれる二酸化炭素を再呼吸してしまう点である。
【課題を解決するための手段】
【０００８】  本発明は、顔面に密着する密閉型マスクに膨縮可能な気密性のリザーバーバッグを接続し、リザーバーバッグと密閉型マスクの接続部付近に二酸化炭素除去フィルターを設ける。密閉型マスク上に呼気時に解放する一方弁を設ける。リザーバーバッグの任意の位置に酸素流入口を設ける。
以上の構成よりなる二酸化炭素除去フィルター付きリザーバー酸素マスクである。
本発明は、リザーバーバッグ内に流入する呼気から二酸化炭素を取り除くことで、二酸化炭素を再呼吸することなく高濃度酸素の吸入が可能になることを主要な特徴とする。
【発明の効果】
【０００９】  本発明は、密閉型マスクを用いるのでマスクと顔面の間隙から空気が流入せず、吸気の際はリザーバーバッグ内の高濃度酸素を吸入することができる。また、呼気は一部が一方弁を通じて大気中に排出されると同時に、一部が二酸化炭素除去フィルターを通ってリザーバーバッグ内にたくわえられる。
呼気がリザーバーバッグに流入する際、二酸化炭素除去フィルターによって二酸化炭素が除去されるので、リザーバーバッグ内にたくわえられた呼気からは二酸化炭素が除去されており、これを再び吸気しても二酸化炭素を吸いこむことはない。
また、リザーバーバッグにたくわえられた呼気には酸素供給口より持続的に酸素が供給されているので、リザーバーバッグ内は流入した呼気よりも高い酸素濃度となる。つまり呼吸を繰り返すことでリザーバーバッグ内の酸素濃度は上昇し、１００％に近付くことになる。
以上により供給される酸素流量が低流量であっても二酸化炭素を再呼吸することなく、高濃度の酸素を吸入できる利点がある。
【図面の簡単な説明】
【００１０】
【図１】二酸化炭素除去フィルター付きリザーバー酸素マスクを装着した時の正面図
【図２】二酸化炭素除去フィルター付きリザーバー酸素マスクを装着した時の側面図
【発明を実施するための形態】
【００１１】  以下、本発明の実施の形態について図１、図２に基づいて説明する。
本発明は、顔面に密着する密閉型マスク（１）にリザーバーバッグ（２）を接続する。リザーバーバッグ（２）は膨縮可能な気密性のバッグであり、密閉型マスク（１）のドーム状隔壁上で口鼻側と交通するように接続されている。リザーバーバッグ（２）と密閉型マスク（１）の接続部付近に二酸化炭素除去フィルター（３）を設ける。密閉型マスク（１）のドーム状隔壁上に呼気時に解放する一方弁（４）を設ける。リザーバーバッグ（２）の任意の位置に酸素流入口（５）を設ける。
以上のような構造で、これを使用するときは顔面にマスクを密着させ、酸素供給用チューブ（６）を通じて酸素流入口（５）から一定流量の酸素を供給すればよい。
【産業上の利用可能性】
【００１２】  本発明は医療現場において高濃度酸素の吸入が必要な状態の患者に利用することができる。
【符号の説明】
【００１３】１  密閉型マスク
２  リザーバーバッグ
３  二酸化炭素除去フィルター
４  一方弁
５  酸素流入口
６  酸素供給用チューブ
【図１】
2017023665.tif 000003
【図２】
2017023665.tif 000004
(57)【要約】      （修正有）【課題】床ずれ患部と保護シートのずれ防止、患部と衣服・オムツ等の摩擦による患部の悪化防止、患部から爛れ出る体液の排出、及び衣服の汚れ防止を行うことができる床ずれ保護用シートを提供する。【解決手段】１層または袋状の２層になった穴あきポリエチレンシート７，１に対し、末端から約１ｃｍ内側に固定用粘着テープ２を貼り、衣服側、またはオムツ５側に粘着テープで穴あきポリエチレンシートを固定させて患部３を覆い保護することで、患部の自然治癒を促進する。【選択図】図３
2017023662.tif 000002
【特許請求の範囲】
【請求項１】
床ずれの炎症を和らげる効果とし、薄いポリエチレンシートを２層で患部を保護し、寝床の布団や衣服との摩擦による患部の擦れを、２層のポリエチレンシートで吸収する。
【請求項２】
２層のポリエチレンシートと患部のずれを吸収するために、末端から約１ｃｍ内側に固定用粘着テープを貼り、それをオムツや下着側に固定することで、保護のポリエチレンシートの剥がれ防止をする。
【請求項３】
ポリエチレンシートを固定させる粘着テープを衣服側もしくはオムツ側に貼り付けることで、粘着面と皮膚の炎症を防止する。ポリエチレンシート１層であっても、固定させる粘着テープを衣服側もしくはオムツ側に貼り付けることで、同様に効果を期待できる。
【発明の詳細な説明】
【技術分野】
【０００１】本発明は、ポリエチレンシートを使って床ずれの出来た患部が、衣類やオムツで擦れて悪化することを防ぐために直接干渉を避けること、摩擦や擦れから患部の保護をするものであるが、寝返り等により保護シートと患部のずれを防止することで患部を直接傷つけることなく保護し、自然治癒の保護材となること。穴あきポリエチレンシートを使うことで、患部の爛れや体液を患部に溜めることなく排出させる。
【背景技術】
【０００２】ポリエチレンシートを袋状にすることで、ガーゼ類での今までの保護材を併用して利用することも可能である。従来の技術は患部を乾かさないようにしている。
【先行技術文献】
【特許文献】
【０００３】
【特許文献１】特開２００１−０１７４６０
【０００４】
【特許文献１】特開２０１１−０７８４７５
【０００５】
【特許文献１】特開２００８−１１３９５２
【０００６】
【特許文献１】特開２００８−１１３９３４
【０００７】
【特許文献１】特開２００８−１１３７８１
【０００８】
【特許文献１】特開２００８−０９９７７３
【０００９】
【特許文献２】実登３０２９６２８
【発明の概要】
【発明が解決しようとする課題】
【００１０】床ずれした患部に当てた保護シートが、患部からずれないように保護する。【００１１】患部と衣服・オムツ等の摩擦による患部の悪化を防止する。【００１２】患部から爛れ出る体液を患部に溜めないで、排出させる。【００１３】患部からの爛れ液による衣服の汚れ防止を行う。
【課題を解決するための手段】
【００１４】上記を解決するために、患部に当てるポリエチレンシートを袋状の二重構造にすることで患部と衣服間の摩擦をポリエチレンシートに吸収させる。【００１５】ポリエチレンシートに小さな穴を沢山空けて患部の爛れた液の排出に利用する【００１６】ポリエチレンシートを患部に固定するために両面テープまたは、粘着テープを使って衣服側・オムツ側に固定させる。【００１７】ポリエチレンシートの剥がれやずれを防止するために、テープの貼る位置をシートの端部から１ｃｍ程度内側に設置することでずれシロを設ける。【００１８】ポリエチレンシートを袋にして２重構造するにすることで、ガーゼなどを間に挟む構造とする。
【発明の効果】
【００１９】本発明は、以上説明したように構成されているので、以下に記載されるような効果を奏する。【００２０】患部に直接摩擦が起こることを防ぐことで患部の悪化を防ぎ、自然治癒に寄与する。【００２１】貼り付けたポリエチレンシートがずれないことで、患部の継続保護になる。【００２２】オムツに装着できることで、寝たきり要介護者の臀部の床ずれにも対応が可能となる【００２３】ポリエチレンシートを袋状にすることで、ガーゼや薄布を挟むことが可能となり、爛れ液による衣服の汚れ防止を行う。
【図面の簡単な説明】
【００２４】
【図１】保護シート構造図
【図２】患部装着イメージ図
【図３】オムツ装着イメージ図
【図４】ガーゼなど既存保護シートとの併用関連図
【発明を実施するための形態】
【００２５】発明を実施するために実施例にもとづき図面を参照して説明する。
【００２６】図１において、袋状の穴が無数にあいたポリエチレンシートに両面テープまたは粘着部分を短面から１ｃｍのところに両端２箇所に装着した構造となる。
【００２７】当発明では、この粘着テープを患部の衣服側に貼り付けて使用する。図２では、下着の袋状の内側に粘着テープで装着することで固定し、患部の保護を行う。
【００２８】図３においては、介護利用のオムツなどに、粘着テープで後ろ側に装着することで臀部お尻側の床ずれの患部を保護する役目となる。また穴あきのポリエチレンシートにより患部の爛れの液は穴を通過してオムツに吸収される。
【００２９】図１においては、ガーゼなど薄い布を間に挟むことで下着の汚れ防止になる。
【００３０】衣服・オムツ側に粘着固定させる効果は、１層のポリエチレンシートにおいても同様のである。
【符号の説明】１  袋状の穴あきポリエチレンシート
２  粘着テープ
３  床ずれ患部
４  下着
５  オムツ
６  ガーゼ
７  １層の穴あきポリエチレンシート
【図１】
2017023662.tif 000003
【図２】
2017023662.tif 000004
【図３】
2017023662.tif 000005
【手続補正書】
【提出日】平成27年9月15日(2015.9.15)
【手続補正１】
【補正対象書類名】明細書
【補正対象項目名】００２４
【補正方法】変更
【補正の内容】
【００２４】
【図１】保護シート構造図
【図２】患部装着イメージ図
【図３】オムツ装着イメージ図
(57)【要約】      （修正有）【課題】フード付き衣服をハンガーに掛けたとき、フードを上に伸ばし支軸に掛けることができるフード付き衣類専用ハンガーを提供する。【解決手段】支柱に孔を有する爪状の関節４を設ける。屈曲状に形成した支軸５の両先端に屈折部６を設け、該屈折部を関節の孔に挿入し、支軸を上にあげてフードを掛けるフード付き衣服専用ハンガーを構成する。【選択図】図１
2017023670.tif 000002
【特許請求の範囲】
【請求項１】
支柱に孔を有する関節を設け、屈曲した支軸を形成し、支軸先端を関節の孔に挿入し、該支軸を関節を基点に上にあげフードを掛けることを特徴とするフード付き衣服専用ハンガー。
【発明の詳細な説明】
【技術分野】
【０００１】  本発明は、フード付き衣服をハンガーに掛けたとき、フードを上に引きあげ掛けることができるフード付き衣服専用のハンガーに関するものである。
【背景技術】
【０００２】  従来、フード付き衣服を洗濯後に、或いは、雨に濡れたレインコートなどをハンガーに掛けたとき、フードは垂れ下がり衣服の背や肩の部分に重なり、その部分は容易には乾かない、特にレインコートなどは通気性がないため乾かない。
【発明の開示】
【０００３】  そのために、次のような問題点があった。
フードや背や肩の部分を乾かせるために、いちど全体をハンガーから外し、大体に乾いている裾や袖部分を再度ハンガー、又は、竿に掛けフードや背の部分を吊り下げ乾かせたり、通気性の悪いレインコートなとは拭き取ったり色々手間がかかり厄介であった。
【課題を解決するための手段】
【０００４】  支柱に孔を有する関節を設け、屈曲した支軸を形成し、両先端を関節の孔に挿入し、該支軸を関節を基点に上にあげフードを掛ける。以上を特徴とするフード付き衣服専用ハンガーである。
【発明の効果】
【０００５】  本発明は、垂れ下がるをフードを上にあげ支軸に掛るため、洗濯後や雨に濡れたレインコートなどは全体を一様に乾かせることができる。
【発明を実施するための最良の形態】
【０００６】以下、本発明の実施の形態を説明する。
（イ）ハンガー（１）に設けている二箇所の支柱（２）に、爪状で貫通孔（３）を有す        る関節（４）を向かい合って設ける。
（ロ）屈曲した支軸（５）を形成し、該両先端に屈折部（６）を設ける。
（ハ）支軸（５）の両屈折部（６）を関節（３）の孔（２）に挿入する。支軸（５）は        関節（４）を基点に上下可動である。
（ニ）屈折部（６）は関節（４）内に位置し固定される。
本発明は、以上の構成によって成っている。
本発明を使用するときは、フード付き衣服をハンガー（１）に掛けるとき、フード（７）を上にあげ、固定状態の支軸（５）に掛ける。従って、フード（７）は上にあがり垂れさがらない。
支軸（５）を下にさげたいときは、支軸（５）を中央に引き寄せると屈折部（６）は関節（４）の外に移動し固定状態から外れ容易に下にさがる。そして、支軸（５）は元の形状に戻り屈折部（６）は関節（４）内に移動し固定される。
従って、通常のハンガー同様に使用が可能で支軸（５）は邪魔にならない。
【図面の簡単な説明】
【０００７】
【図１】本発明の正面図
【図２】本発明の関節部正面図
【図３】使用図
【符号の説明】
【０００８】  １  ハンガー
２  支柱
３  孔
４  関節
５  支軸
６  屈折部
７  フード
【図１】
2017023670.tif 000003
【図２】
2017023670.tif 000004
【図３】
2017023670.tif 000005
(57)【要約】      （修正有）【課題】フルーテイな味と高い栄養価を持つかまぼこを提供する。【解決手段】黒にんにくを練り状にし、かまぼこに練り込むことにより、かまぼこにフルーテイな味と高い栄養価を付与する。なお、該黒にんにくは、３８以上の糖度の高いにんにくを、温度６２〜７０°Ｃ、湿度６５〜７５％で、２〜３週間熟成することにより製造される。【選択図】なし【特許請求の範囲】
【請求項１】
黒にんにくをかまぼこに練り込んだことを特徴とするかまぼこ。
【請求項２】
黒にんにくを練り状にし、かまぼこの生地と一体にした請求項１記載のかまぼこ。
【請求項３】
黒にんにくは、３８以上の糖度の高いにんにくを、温度６２〜７０°Ｃ、湿度６５〜７５％で、２〜３週間熟成することにより製造される請求項１又は２記載のかまぼこ。
【発明の詳細な説明】
【技術分野】
【０００１】
この発明は、黒にんにくを含ませたかまぼこに係り、詳記すればかまぼこにフルーテイな味を含有させたかまぼこに関する。
【背景技術】
【０００２】
従来、かまぼこは、魚やイカのすり身を原料とし、海産物加工品として流通しているものである。その風味は海産物特有のものであり、意外な取り合わせで独自性が有り、特にフルーテイな味に重点を置いた食欲をそそる味を持つものは販売されていない。
【発明の概要】
【発明が解決しようとする課題】
【０００３】
この発明は、このような点に着目してなされたものであり、請求項１に記載の発明は、フルーテイな味を持つかまぼこを提供することを目的とする。
【課題を解決するための手段】
【０００４】
上記目的に沿う本発明の構成は、黒にんにくをかまぼこに練り込んだことを特徴とする。
【０００５】
黒にんにくをかまぼこに練り込むには、黒にんにくを練り状にして、かまぼこの生地と一体にすればよい（請求項２）。
【０００６】
黒にんにくは、３８以上の糖度の高いにんにくを、温度６２〜７０°Ｃ、湿度６５％〜７５％で、２〜３週間熟成することにより製造される(請求項３)。
【発明の効果】
【０００７】
本発明によれば従来のかまぼこにも黒にんにくにもないフルーテイな味を付与することができ、また、黒にんにく特有の栄養素を付加することができる。
【発明を実施するための最良の形態】
【０００８】
本発明の実施の形態を説明する。
主に白身魚やイカのすり身に塩やみりんなどと共に黒にんにくを練り状にしたものを加え、粘り気が出るまで練る。これを蒸し上げる。加熱することで固まったかまぼこを冷し、目的の黒にんにくかまぼこを得る。これは、フルーテイな黒にんにくにもかまぼこにもない従来にない味のかまぼこが得られる。
【産業上の利用可能性】
【０００９】
本発明によれば、従来にないフルーテイな味と高い栄養価を持つかまぼこが得られるので、その利用が期待される。
(57)【要約】【課題】  道路端や側溝などに植生する雑草の刈り取り処理をするための刈払機用カッターに関するもので、解決しなければならない課題としては、第１に刈払機体から回転カッターに伝達される駆動トルクの加速時及び減速時の振動の減衰緩和とそれによる回転時のばたつき抑制、第２に草刈作業時に起こるカッターのコンクリート地面や硬質異物との突発的な接触又は衝突負荷による振動及び衝撃の吸収緩和、第３に作業者に対する作業安全性の向上及び作業疲労の軽減、などの課題を解決することができる刈払機用カッターを提供することを目的とする。【解決手段】  回転円盤体１の作業桿取付孔５を同心円とする周囲帯部６において、複数のリブ構造部７・・・を包囲することにより円盤体に発条機能を付与するように成るものであり、また、前記各リブ構造部の高さは被切断物の切断後の流動を阻害しない程度の高さとするものである。【選択図】    図１
2017023070.tif 000002
【特許請求の範囲】
【請求項１】
回転円盤体の作業桿取付孔を同心円とする周囲帯部において、複数のリブ構造部を包囲することにより円盤体に発条機能を付与するように成ることを特徴とする刈払機用カッター。
【請求項２】
各リブ構造部の高さは被切断物の切断後の流動を阻害しない程度の高さとすることを特徴とする請求項１に記載した刈払機用カッター。
【発明の詳細な説明】
【技術分野】
【０００１】
本発明は、道路端や側溝などに植生する雑草の刈り取り処理をするための刈払機用カッターに関するものである。
【背景技術】
【０００２】
従来から存する刈払機用カッターは、その安全性，作業性等の面から、その本体の材質及び材厚についてはＪＩＳ規格によって範囲が定められているし、本体の剛性は本体の材厚及びその熱処理品質によって限定されるところ、次のような特許文献が知られている。
【先行技術文献】
【特許文献】
【０００３】
【特許文献１】実用新案登録第３１２４２２０号公報
【特許文献２】特開２０１１−２５４９３号公報
【特許文献３】特開平１０−２２９７２２号公報
【発明の概要】
【発明が解決しようとする課題】
【０００４】
しかしながら、解決しなければならない課題としては、第１に刈払機体から回転カッターに伝達される駆動トルクの加速時及び減速時の振動の減衰緩和とそれによる回転時のばたつき抑制、第２に草刈作業時に起こるカッターのコンクリート地面や硬質異物との突発的な接触又は衝突負荷による振動及び衝撃の吸収緩和、第３に作業者に対する作業安全性の向上及び作業疲労の軽減、などの点が挙げられるが、本発明はこれらの課題を解決することができる刈払機用カッターを提供することを目的とするものである。
【課題を解決するための手段】
【０００５】
本発明は、回転円盤体の作業桿取付孔を同心円とする周囲帯部において、複数のリブ構造部を包囲することにより円盤体に発条機能を付与するように成るものである。
【０００６】
また、前記各リブ構造部の高さは被切断物の切断後の流動を阻害しない程度の高さとするものである。
【発明の効果】
【０００７】
本発明は、以上の構成から成る刈払機用カッターであるから、次のような効果を達成することができるのである。
【０００８】
第１に、回転円盤体の取付孔の周囲帯部は、円盤体に与えられる衝撃に対してこれを吸収して抵抗する弾性性を発揮するリブ構造部を複数個設けてなることにより剛性を付加増強することができることになり、これによって駆動トルクの振動を減衰緩和し、突発的な衝撃負荷に対しても軽減抑制することができるようになる。
【０００９】
第２に、前記リブ構造部の高さは、被切断物が切断された後に、回転円盤体の上面を流動する際に、被切断物の飛散を阻害しない程度のものであるから、決して障害となることはなく、安定性を維持することができる構成となっている。
【図面の簡単な説明】
【００１０】
【図１】全体の表斜視図
【図２】全体の背斜視図
【図３】図２の平面図
【図４】図３Ａ−Ａ線の断面図
【図５】図４Ｂ部の拡大断面図
【図６】図４Ｃ部の拡大段面図
【図７】図３Ｄ−Ｄ線の断面図
【発明を実施するための形態】
【００１１】
回転円盤体の刈払い時に発生する被切断物は、円盤体上のリブ構造部の上面部を円滑に吹き飛ばされる程度の低い高さを構成する。
【００１２】
回転円盤体の取付孔を同心円とする周囲帯部において、複数のリブ構造部を包囲するように設けることによって、円盤体の剛性度が増強されるようになり、これにより駆動トルクの振動は緩和されるようになるとともに切断刃部への衝撃を吸収するようになる。
【実施例】
【００１３】
１は回転円盤体で、この円盤体の周縁部には等間隔に切歯２・・と硬質チップ３・・とから成る切断刃部４・・を設ける。
【００１４】
５は前記回転円盤体１の中心部に設けた作業桿の取付孔で、この取付孔の周囲帯部６全体は平滑面に成る。
【００１５】
７・・・は前記取付孔５の周囲帯部６を包囲するように凸面状に形成したリブ構造部で、この各リブ構造部間にはキール部８・・・を形成するが、このキール部８は前記周囲帯部６と同高の平滑面に成る。（リブ構造部７・・・は図１では凸面状に形成するが、反対面の図２では凹面状に形成している。）
【００１６】
前記リブ構造部７・・・間のキール部８・・・は連結リブとしての役割を果たし、前記取付孔５の周囲帯部６の剛性を高める複数のリブ構造部７・・を形成することにより剛性を付加増強するものである。前記リブ構造部７・・の高さは、被切断物の切断後の流動を阻害しない高さとする。（例えば、リブ構造部面の高さ材厚を２．５５ｍｍ，キール部分を０．９ｍｍ）
【００１７】
これによって、回転円盤体１に対する駆動トルクの振動を緩和し、かつ突発的な衝動負荷を軽減することができるようにする。
【００１８】
９は前記リブ構造部７・・・を設けた周囲帯部６と切断刃部４・・との間に段差１１をつけて形成する盤面部で、この盤面部には多数の透孔１０・・を設けて円盤体材が有する重量の軽減を図っている。この透孔１０は前記キール部８・・・においても設けるが、その大きさは前記盤面部９におけると同様に任意である。
【符号の説明】
【００１９】
１                    回転円盤体
２・・                切歯
３・・                硬質チップ
４                    切断刃部
５                    作業桿取付孔
６                    周囲帯部
７・・・              リブ構造部
８・・・              キール部
９                    盤面部
１０・・              透孔
１１                  段差部
【図１】
2017023070.tif 000003
【図２】
2017023070.tif 000004
【図３】
2017023070.tif 000005
【図４】
2017023070.tif 000006
【図５】
2017023070.tif 000007
【図６】
2017023070.tif 000008
【図７】
2017023070.tif 000009